(57)【要約】【課題】外障子を少ししか開けない場合でもそれに応じて網戸を閉めることができて使い勝手が良く、虫除け部材を大きくしたり内障子の召し合せ框をフラットな特別仕様にしたりする必要の無い開口部装置を提供する。【解決手段】建物の開口に設けられる枠体２と、該枠体２内に設けられた内外の障子３ａ，３ｂと、前記枠体２の室内側に設けられた収納式網戸６とを備え、前記収納式網戸６は、巻取りまたは折り畳んで収納状態とされる網体７と、該網体７を収納状態から引き出し入れして網戸６の開閉を行う可動框９と、該可動框９の両端部を摺動自在に案内する案内部１０，１０とを有し、少なくとも外障子３ｂが開閉自在に設けられ、該外障子３ｂの戸先框４ｄに内障子３ａ分の隙間を塞ぐ補助框部材１２を設け、前記可動框９に補助框部材１２との間の隙間を覆って虫の侵入を防ぐ虫除け部材１３を設けている。【選択図】　　　　　図３
2004100365.tif 000002
【特許請求の範囲】
【請求項１】
建物の開口に設けられる枠体と、該枠体内に設けられた内外の障子と、前記枠体の室内側に設けられた収納式網戸とを備え、前記収納式網戸は、巻取りまたは折り畳んで収納状態とされる網体と、該網体を収納状態から引き出し入れして網戸の開閉を行う可動框と、該可動框の両端部を摺動自在に案内する案内部とを有し、少なくとも外障子が開閉自在に設けられ、該外障子の戸先框に内障子分の隙間を塞ぐ補助框部材を設け、前記可動框に補助框部材との間の隙間を覆って虫の侵入を防ぐ虫除け部材を設けたことを特徴とする開口部装置。
【発明の詳細な説明】
【０００１】
【発明の属する技術分野】
本発明は、開口部装置に係り、特に外障子の戸先框に内障子分の隙間を塞ぐ補助框部材を設けて収納式網戸の使い勝手を良くした開口部装置に関する。
【０００２】
【従来の技術】
開口部装置としては、建物の開口に設けられる枠体と、この枠体内に設けられた内外の障子と、前記枠体に設けられた収納式網戸例えばロール式網戸とを備えたものが知られている（例えば、特公昭５２−１５０８９号公報参照）。前記ロール式網戸は、網体を巻取って収納する収納部と、網体の先端部を保持し網体を収納部から引き出し入れして網戸の開閉を行う可動框と、この可動框の両端部を摺動自在に案内する案内部とを有している。
【０００３】
ところで、引違い窓や片引き窓に横引き収納網戸を取付ける場合、２つの方法が考えられる。１つは、サッシの開口全体を１つの網戸で覆うように網戸を取付ける方法であるが、障子を開ける位置に関係なく網戸を常に全閉にしなければならず、使い勝手が良くないという問題がある。
【０００４】
他の一つは、障子１枚に対して網戸を１つ取付ける方法であり、障子を開けた分だけ網戸を閉めれば良いため使い勝手が良い。この場合、障子を開けた戸先框とロール式網戸の可動框との間の隙間から虫が侵入するのを防ぐために、可動框に障子の戸先框との隙間を覆う（塞ぐ）例えばゴムヒレ状の虫除け部材を設ける必要がある。
【０００５】
【発明が解決しようとする課題】
しかしながら、前記開口部装置においては、ロール式網戸がサッシの枠体の室内側に設けられる構造の場合、外障子の戸先框とロール式網戸の可動框との間に内障子分の隙間が発生するため、この隙間を塞ぐべく虫除け部材を大きく形成する必要があると共に、上下枠との隙間も塞ぎ難くなるという問題がある。
【０００６】
なお、このように内付けタイプで外障子側での仕様としたものにおいては、可動框の虫除け部材を外障子の戸先框に当てるのではなく、内障子の召し合せ框に当てるようにしたものも提案されているが、このものは内障子の召し合せ框を室内側に突出しないフラットにした特別仕様にしなければならないばかりか、外障子を少ししか開けない場合でも網戸は内障子の召し合せ框の位置まで閉めなければならず、使い勝手が悪かった。
【０００７】
本発明は、前記事情を考慮してなされたもので、外障子を少ししか開けない場合でもそれに応じて網戸を閉めることができて使い勝手が良く、虫除け部材を大きくしたり内障子の召し合せ框をフラットな特別仕様にしたりする必要の無い開口部装置を提供することにある。
【０００８】
【課題を解決するための手段】
本発明は、建物の開口に設けられる枠体と、該枠体内に設けられた内外の障子と、前記枠体の室内側に設けられた収納式網戸とを備え、前記収納式網戸は、巻取りまたは折り畳んで収納状態とされる網体と、該網体を収納状態から引き出し入れして網戸の開閉を行う可動框と、該可動框の両端部を摺動自在に案内する案内部とを有し、少なくとも外障子が開閉自在に設けられ、該外障子の戸先框に内障子分の隙間を塞ぐ補助框部材を設け、前記可動框に補助框部材との間の隙間を覆って虫の侵入を防ぐ虫除け部材を設けたことを特徴とする。
【０００９】
【発明の実施の形態】
以下に、本発明の実施の形態を添付図面に基いて詳述する。図１は本発明の実施の形態を示す開口部装置の縦断面図、図２は同開口部装置の横断面図、図３はロール式網戸の使用状態を示す横断面図、図４は網体を概略的に示す図で、（ａ）は正面図、（ｂ）は（ａ）のＡ−Ａ線断面図、（ｃ）は（ａ）のＢ−Ｂ線断面図、図５は可動框の一例を示す斜視図、図６は補助框部材の一例を示す斜視図である。
【００１０】
図１、図２ないし図３に示すように、開口部装置１は、建物の開口に設けられるサッシ枠である枠体２と、この枠体２内に設けられた障子３ａ，３ｂと、前記枠体２に設けられる収納式網戸であるロール式網戸６とを備えている。少なくとも外障子３ｂ、図示例では外障子３ｂ及び内障子３ａが開閉自在に設けられている。前記枠体２は、例えばアルミ押出形材からなる上枠２ａ、下枠２ｂ及び左右の縦枠２ｃ，２ｄからなっている。図示例の開口部装置１は引違い窓として構成されており、枠体２内に内外の障子３ａ，３ｂが横方向に引違い状に開閉自在に設けられている。障子３ａ，３ｂは、例えばアルミ押出形材からなる上框４ａ、下框４ｂ及び左右の縦框４ｃ，４ｄからなる框体４内にガラスパネル５を装着してなる。
【００１１】
前記ロール式網戸６は、巻取りまたは折り畳んで収納状態とされる網体７と、該網体７を収納状態から引き出し入れして網戸６の開閉を行う可動框（戸先框ともいう）９と、この可動框９の両端部を摺動自在に案内する案内部１０，１０とを有している。本実施例のロール式網戸６は、網体７を巻取って収納する収納部８を有し、この収納部８から引き出した網体７の先端部を可動框９に保持固定し、可動框９の移動操作で網体７を収納部８から引き出し入れして網戸６の開閉を行うようになっている。前記収納部８内には網体７を巻取る巻取部である巻取軸１１が回転自在に設けられ、この巻取軸１１が網体７を巻取る方向に付勢手段である図示しないばねにより付勢されている。
【００１２】
図示例の開口部装置１は枠体２の左右にロール式網戸６，６を備えている。左側のロール式網戸６は図３に示すように開状態にある外障子３ｂの戸先框４ｄの室内面に取付けた後述の補助框部材１２との間を網体７で覆うようになっており、右側のロール式網戸６は開状態の内障子３ａの戸先框４ｄとの間を網体７で覆うようになっている。左側のロール式網戸６の可動框９には外障子３ｂの戸先補助框１２との間を塞いで虫の侵入を防止する虫除け部材１３が設けられている。右側のロール式網戸６の可動框９には内障子３ａの戸先框４ｄとの間を塞いで虫の侵入を防止する虫除け部材１３が設けられている。
【００１３】
前記虫除け部材は１３は、両端部が前記枠体２例えば上枠２ａ，下枠２ｂから離間した第１の虫除け部材１３ａと、該第１の虫除け部材１３ａに接してその両端部から長手方向に移動可能な第２の虫除け部材１３ｂ，１３ｂとにより構成され、該第２の虫除け部材１３ｂにはこれを前記枠体２例えば上枠２ａ，下枠２ｂに対して所定の位置例えば隙間が１ｍｍになるように規制する後述する規制手段３７が設けられている。第１の虫除け部材１３ａは可動框９に対して固定されているため固定虫除け部材と称することができ、第２の虫除け部材１３ｂは可動框９に対して移動可能に設けられているため可動虫除け部材と称することができる。前記虫除け部材１３ａ，１３ｂは、例えばゴム、軟質樹脂等の弾性材によりヒレ状に形成されている。なお、虫除け部材１３ａ，１３ｂは、例えばモヘアからなっていても良い。
【００１４】
前記規制手段３７として例えば図７の（ａ）ないし（ｂ）に示すように規制部材１８が用いられ、この規制部材１８には例えばに第２の虫除け部材１３ｂを枠体２例えば上枠２ａないし下枠２ｂに対して所定の位置すなわち所定の隙間Ｓ（例えばＳ＝１ｍｍ程度）に規制するために環状の規制溝１８ｂが設けられている。前記第２の虫除け部材１３ｂの基部にはバー状の支持材３９が設けられ、この支持材３９には前記規制溝１８ｂに摺動自在に係合する円弧状の係合爪部３９ａが設けられている。
【００１５】
規制部材１８は、回転軸２５から回転は伝わるが、回転軸２５によって上下方向の動きは拘束されていない。すなわち、回転軸２５の端部は例えば断面半円形に形成され、規制部材１８には回転軸２５の端部が軸方向に摺動自在に係合する例えば断面半円形の軸孔が形成されている。また、回転軸２５は可動框９に対して上下方向に移動しないように設けられており、規制部材１８は可動框９に対して上下方向に所定の範囲で移動可能に設けられており、上部の規制部材１８が上方に、下部の規制部材１８が下方に最大限移動しても回転軸の端部から規制部材１８が抜けないようになっている。
【００１６】
前記収納部８は左右の縦枠２ｃ，２ｄの室内側にそれぞれ別体で設けられ、案内部１０は上枠２ａ及び下枠２ｂの室内側にそれぞれ別体で設けられている。具体的には、サッシ枠である枠体２の室内面にロール式網戸６の枠体１４が固着具であるネジ１５で着脱自在に取付けられている。このロール式網戸６の枠体１４は、例えばアルミ押出形材からなる上枠材１４ａ、下枠材１４ｂ及び左右の縦枠材１４ｃ，１４ｄからなり、上枠材１４ａと下枠材１４ｂは上枠２ａと下枠２ｂの室外面に取付けられ、左右の縦枠材１４ｃ，１４ｄは左右の縦枠２ｃ，２ｄの室内面に取付けられている。
【００１７】
そして、左右の縦枠材１４ｃ，１４ｄに収納部８，８がそれぞれ設けられ、上枠材１４ａと下枠材１４ｂに左右の可動框９，９に共通の案内部１０，１０が設けられている。上枠材１４ａと下枠材１４ｂの対向面には、長手方向（左右方向）に沿って案内部１０としてのガイド溝１６が設けられており、可動框９の上下端部には、図１ないし図５に示すように、ガイド溝１６に沿って摺動するガイド片部１７が設けられている。
【００１８】
前記虫除け部材１３ａ，１３ｂの突出長さを短くするために、前記ガイド溝１６はサッシ枠である枠体２側に近付けて配置されていることが好ましい。また、可動框９の上下両端部には、第２の虫除け部材１３ｂが上枠材１４ａや下枠材１４ｂに接触しないように規制するためにガイド溝１６の溝縁部１６ａに沿って摺動自在に係合した環状溝部を有する規制部材１８が配置されていることが好ましい。後述の回転軸２５の両端部に規制部材が１８が連結され、ここの規制部材１８の先端部に歯車が２２が設けられている。前記収納部８には網体７を引き出すための引出口部１９が設けられているが、この引出口部１９はガイド溝１６の位置に位置されていることが好ましい。また、縦枠材１４ｃ，１４ｄには可動框９の一部を収容する収容部２０が設けられていることが好ましい。
【００１９】
前記収納部８から網体７を引き出しながら移動操作される可動框９を障子３ａ，３ｂの戸先框４ｄと対応する任意の位置に固定する手段として、図示例では歯車式の停止機構２１が設けられている。この停止機構２１は、可動框９の上下端部に回動自在に設けられた歯車２２と、上枠材１４ａ及び下枠材１４ｂに前記歯車２２が噛合するように長手方向に沿って設けられたラック２３とを有している。
【００２０】
前記上下の歯車２２，２２は前記規制部材１８の端部に配置され、上下の歯車２２，２２は可動框９内に設けられた例えば断面Ｃ字状の軸受２４に回転自在に支持された回転軸２５の上端部と下端部に取付固定されている。可動框９には手掛け部２６が設けられ、この手掛け部２６には回転軸２５を回転しないようにロックしたりロックを解除するための図示しないロック機構及びその操作部２７が設けられている。なお、可動框９を任意の位置に固定する手段としては、歯車式に限定されず、例えば摩擦部材を上枠材及び下枠材に押し付けて制動固定する摩擦式等であっても良い。
【００２１】
前記網体７の先端部を可動框９に固定する手段として、図４の（ａ）ないし（ｂ）に示すように網体７の先端部には袋部２８が形成され、この袋部２８に芯材（抜け止め材ともいう）２９が挿入されてこれが前記可動框９に固定されている。具体的には、網体７の先端部は、補強のために折り返されて縫製糸３０ａにより図の上下方向に連通した袋状に縫製されており、この袋部２８を利用して芯材２９が挿入されている。芯材２９は、例えばアルミパイプからなっているが、ある程度の剛性を有する棒状であれば材質は問わない。また、前記網体７の両側縁部（図では上下縁部）は、ガイド溝１６から抜けるのを防止するために図４の（ａ）ないし（ｃ）に示すように折り返されて縫製糸３０ｂにより長手方向（図では左右方向）に連通した袋状に縫製され、袋部３１，３１が形成されている。図１ないし図５に示すように上枠材１４ａ及び下枠材１４ｂのガイド溝１６内には抜け止めガイド棒４０がガイド溝１６内の略中央部から両縦枠材１４ｃ，１４ｄ近傍に向って片持ち梁状に設けられ、収納部８から網体７を引き出してロール式網戸６を閉める時に網体７の両側部の袋部３１，３１に抜け止めガイド棒４０，４０に挿通されるようになっている。
【００２２】
前記網体７には先端部に袋部２８が形成された後、両側縁部に抜け止め用の袋部３１，３１が形成されている。なお、前記芯材２９は、網体７の先端部に袋部２８を形成してから該袋部２８に挿入することが好ましいが、網体７の両側縁部に袋部３１，３１を形成してから先端の袋部２８にその一部を破って芯材２９を挿入するようにしても良く、挿入時期や挿入方法を問わない。前記可動框９内には例えば断面Ｃ字状の固定部（第１の固定部）３２が設けられ、この固定部３２には前記網体７の先端部の袋部２８に挿入した芯材２９が嵌合固定されている。
【００２３】
また、網体７の先端部が上下方向に弛んで網体７の先端側に部分的に皺が寄るのを防止するために、網体７の先端側両端部（図示例では上下両端部）が前記可動框９の両端部（同、上下両端部）に固定されている。すなわち、可動框９の両端部には網体７の先端側両端部を固定する固定部（第２の固定部）３３が設けられている。この固定部３３は一対の挟持片３４ａ，３４ｂを有している。挟持片３４ａ，３４ｂの対向面には網体７の滑り止めのために互いに係合する凹凸部３５が形成されていることが好ましい。
【００２４】
前記可動框９の一側部（後部側）は網体７の先端部を引き入れて固定部（第１の固定部）３２に固定するために断面略Ｕ字状に開口形成されており、両挟持片３４ａ，３４ｂの一部がその可動框９内に端部から挿入されるようになっている。この場合、一方の挟持片３４ａが可動框９の端部に予め固定されており、この一方の挟持片３４ａに対して他方の挟持片３４ｂをネジ３６で固定するようになっていることが好ましい。また、網体７はその上下両端部を固定する場合、ピンと張った状態で固定することが好ましい。
【００２５】
外障子３ｂの戸先框４ｄとこれと対応するロール式網戸６の可動框９との間には内障子３ａの厚さ分（但し、召し合せ框４ｃの室内側突出部分は含まない。）の隙間があるため、この隙間をカバーする目的で、外障子３ｂの戸先框４ｄの室内側には前記補助框部材１２が設けられている。この補助框部材１２は例えばアルミ押出形材からなっている。この補助框部材１２を外障子３ｂの戸先框４ｄの室内面部に取付けるために、例えば外障子３ｂの戸先框４ｄの室内面部には取付金具（取付部材）４５がネジ４６で取付けられ、この取付金具４５の一片４５ａに補助框部材１２がネジ４７で取付けられている。なお、補助框部材１２は外障子３ｂの戸先框４ｄの室内面部に直接ネジで取付けられていても良い。なお、補助框部材１２は前記外障子３ｂの戸先框４ｄに着脱可能に設けられていることが好ましいが、外障子３ｂの戸先框４ｄに一体に設けられていても良い。
【００２６】
前記補助框部材１２は内障子３ｂの軌道上を移動するため、内障子の召し合せ框４ｃに突設されたクレセント錠６０と干渉してお互いに傷付く恐れがある。これを防止するために、補助框部材１２の上下端部には内障子３ａの召し合せ框４ｃと対向する方向にクレセント錠６０の突出量よりも若干多く突出したストッパー部４８，４９が突設されていることが好ましい。
【００２７】
また、これら上下のストッパー部４８，４９または補助框部材１２の上下端部には、上枠２ａ，下枠２ｂとの間の隙間を塞ぐ隙間塞ぎ部４８ａ，４９ａが一体または別体で設けられていることが好ましい。更に、補助框部材１２の室内側には補助框部材１２を移動操作（すなわち外障子３ｂを開閉操作）するための手掛け溝部５０が設けられているが、把手部５１が設けられていてもよい。
【００２８】
以上の構成からなる開口部装置１によれば、建物の開口に設けられる枠体２と、該枠体２内に設けられた内外の障子３ａ，３ｂと、前記枠体２の室内側に設けられた収納式網戸であるロール式網戸６とを備え、前記収納式網戸であるロール式網戸６は、巻取りまたは折り畳んで収納状態とされる網体７と、該網体７を収納状態から引き出し入れして網戸６の開閉を行う可動框９と、該可動框９の両端部を摺動自在に案内する案内部１０，１０とを有し、少なくとも外障子３ｂが開閉自在に設けられ、該外障子３ｂの戸先框４ｄに内障子３ａ分の隙間を塞ぐ補助框部材１２を設け、前記可動框９に補助框部材１２との間の隙間を覆って虫の侵入を防ぐ虫除け部材１３ａを設けているため、外障子３ｂを少ししか開けない場合でもそれに応じて室内側から網戸６を閉めることができて使い勝手が良く、虫除け部材１３ａを大きくしたり内障子３ａの召し合せ框４ｃをフラットな特別仕様にしたりする必要が無く、コストの低減が図れる。
【００２９】
補助框部材１２は、他の種類のサッシ例えば片引き窓や上げ下げ窓にも特別仕様を要せずに適用することができるため、コストの低減が図れる。また、補助框部材１２の室内側には手掛け溝部５０ないし把手部５１が設けられているため、補助框部材１２を左右に容易に移動操作することができ、この補助框部材１２と一体に外障子３ｂを容易に開閉操作することができる。
【００３０】
更に、前記補助框部材１２には内障子３ａの召し合せ框４ｃに突設されたクレセント錠６０との干渉を避けるためのストッパー部４８，４９が上下端部に設けられているため、補助框部材１２とクレセント錠６０の衝突（干渉）及び衝突による損傷を防止することができ、耐久性の向上が図れ、また、クレセント錠６０と縦枠２ｃの衝突（干渉）及び衝突による損傷を防士すべく内障子の開きを制限するために従来の開口部装置の上枠及び下枠に設けられていたストッパーが不用になる。
【００３１】
以上、本発明の実施の形態を図面により詳述してきたが、本発明は前記実施の形態に限定されるものではなく、本発明の要旨を逸脱しない範囲での種々の設計変更等が可能である。例えば、本発明は、引違い窓だけでなく、片引き窓、障子が上下方向に開閉自在に設けられた上げ下げ窓等にも適用することが可能である。また、収納式網戸は横引きタイプだけでなく、縦引きタイプであっても良い。更に、前記実施の形態では引違いの内外の障子に対応してロール式網戸を２つ用いて両開き式に構成した例が示されているが、内障子を固定（フィックス）とし外障子を可動とした片引き窓には外障子に対応する室内側にロール式網戸を１つ設けて片引き式に構成したものであっても良い。
【００３２】
外障子の戸先框に設けた補助框部材と、ロール式網戸の可動框とを連結する連結手段を設けてこれらが連動するようにしても良い。また、収納式網戸の収納部や案内部は、サッシ枠の枠体に一体形成ないし一体に設けられていても良い。開口部装置としては、サッシとは別体で、収納式網戸のみからなっていても良い。なお、収納式網戸としては、ロール式網戸以外に、網体をプリーツ状に折り畳んで収納状態とするタイプの網戸であっても良い。この場合、ケース状の収納部はなくても良く、縦枠または縦枠材と可動框の間に網体を折り畳んで収納状態としても良い。また、網体を巻取りまたは折り畳んで収納する収納部は可動框に設けられていても良く、この場合、収納部から引き出された網体の先端部が縦枠または縦枠材に保持固定されている。
【００３３】
【発明の効果】
以上要するに本発明によれば、建物の開口に設けられる枠体と、該枠体内に設けられた内外の障子と、前記枠体の室内側に設けられた収納式網戸とを備え、前記収納式網戸は、巻取りまたは折り畳んで収納状態とされる網体と、該網体を収納状態から引き出し入れして網戸の開閉を行う可動框と、該可動框の両端部を摺動自在に案内する案内部とを有し、少なくとも外障子が開閉自在に設けられ、該外障子の戸先框に内障子分の隙間を塞ぐ補助框部材を設け、前記可動框に補助框部材との間の隙間を覆って虫の侵入を防ぐ虫除け部材を設けているため、外障子を少ししか開けない場合でもそれに応じて室内側から網戸を閉めることができて使い勝手が良く、虫除け部材を大きくしたり内障子の召し合せ框をフラットな特別仕様にしたりする必要が無く、コストの低減が図れる。
【図面の簡単な説明】
【図１】本発明の実施の形態を示す開口部装置の縦断面図である。
【図２】同開口部装置の横断面図である。
【図３】ロール式網戸の使用状態を示す横断面図である。
【図４】網体を概略的に示す図で、（ａ）は正面図、（ｂ）は（ａ）のＡ−Ａ線断面図、（ｃ）は（ａ）のＢ−Ｂ線断面図である。
【図５】可動框の一例を示す斜視図である。
【図６】補助框部材の一例を示す斜視図である。
【図７】可動框の端部を概略的に示す図で、（ａ）は断面図、（ｂ）は（ａ）のＣ−Ｃ線断面図である。
【符号の説明】
１　開口部装置
２　枠体
３ａ，３ｂ　障子
６　ロール式網戸（収納網戸）
７　網体
９　可動框
１０　案内部
１２　補助框部材
１３　虫除け部材
【図１】
2004100365.tif 000003
【図２】
2004100365.tif 000004
【図３】
2004100365.tif 000005
【図４】
2004100365.tif 000006
【図５】
2004100365.tif 000007
【図６】
2004100365.tif 000008
【図７】
2004100365.tif 000009